(57)【要約】【課題】ユーザが端末Ａから端末Ｂに利用端末を変更する場合において、サーバ側で変更先の端末Ｂに認証情報を入力することなく、また、端末以外の物理デバイスを携帯することなく、自動的に端末間のアプリケーションの認証情報や状態を引き継ぐことができる通信端末間における認証及びアプリケーション情報の継承システム、方法、サーバ、並びに通信端末を提供する。【解決手段】ネットワークに接続可能な通信端末と、アプリケーションデータを含むアプリケーション情報を保持、管理、制御するサーバとを有するシステムにおいて、ワンタイムパスワードを用いた認証、及びアプリケーション情報の引継ぎ手段を設けた。【選択図】図１
2015210771.tif 000002
【特許請求の範囲】
【請求項１】
アプリケーション情報の送受信を行う複数の通信端末と、ワンタイムパスワードとアプリケーション情報を関連付けて管理するサーバを有し、
前記通信端末は、
ネットワークとの間において、ワンタイムパスワード、及びアプリケーション情報の送受信を行う通信手段と、
自身以外の通信端末との間において、ワンタイムパスワード、及びアプリケーション情報の送受信を行う近距離無線通信インタフェースと、
前記ワンタイムパスワード、前記アプリケーション情報を関連付けて記録、管理する手段と、
前記通信手段、前記インタフェース、前記アプリケーション情報を記録、管理する手段を制御する手段と、を有し、
前記サーバは、
前記通信端末の変更を行うとき、データ引継元となる通信端末から送信されるアプリケーション情報に対応するワンタイムパスワードを生成する手段と、
当該ワンタイムパスワードと当該アプリケーション情報とを関連付けて保存する手段と、
当該ワンタイムパスワードを前記データ引継元となる通信端末を介してデータ引継先となる通信端末に送信する手段と、
当該データ引継先となる通信端末からのアプリケーション情報の要求に応じて前記ワンタイムパスワードに関連付けされたアプリケーション情報を当該データ引継先となる通信端末に送信する手段と、
を有することを特徴とする通信端末間における認証及びアプリケーション情報の継承システム。
【請求項２】
サーバと通信端末とからなり、当該通信端末を第１の通信端末から第２の通信端末に変更するとき、当該第１の通信端末のアプリケーション情報を第２の通信端末に継承する通信端末間におけるアプリケーション情報の継承システムにおいて、
前記サーバは、
ワンタイムパスワードに関連付けてアプリケーション情報を管理する手段、当該アプリケーション情報は、アプリケーションを識別するアプリケーション識別情報、当該アプリケーションの利用に必要なアプリケーション認証情報、を含み、
前記通信端末のデータ引継元の端末からアプリケーション情報を受信したとき、前記ワンタイムパスワードを生成する手段、
前記ワンタイムパスワードに関連付けて前記アプリケーション情報を保存する手段、
前記通信端末のデータ引継先の端末からアプリケーション情報の要求とワンタイムパスワードを受信したとき、当該通信端末のデータ引継先の端末に対してアプリケーション情報を送信する手段、
前記サーバに保存されたワンタイムパスワード及び当該ワンタイムパスワードに関連するアプリケーション情報を削除する手段、
を有し、
前記通信端末は、データ引継元となる第１の通信端末と、少なくともデータ引継先となる第２の通信端末、を有し、
前記第１、第２の通信端末は、
ネットワークを介して前記サーバと通信する通信部、
前記第１、第２の通信端末同士で近距離無線通信するインタフェース、
前記アプリケーション情報を格納する記録部、
前記第１、第２の通信端末間の通信及び前記第１、第２の通信端末と前記サーバとの間の通信を制御する制御部、
を有し、
前記第１の通信端末の制御部は、
前記通信端末を前記第１の通信端末から前記第２の通信端末に変更する場合、
前記第２の通信端末に対して引継ぎ要求を送信する手段、
前記第２の通信端末からのデータ引継ぎ承認応答を受けたとき、前記第１の通信端末の表示部にデータ引継ぎ確認画面を表示する手段、
前記データ引継ぎ確認画面を元に当該第１の通信端末のユーザによりデータ引継ぎが許可されたとき、前記サーバに対して前記第１の通信端末のアプリケーション情報を送信する手段、
前記サーバからワンタイムパスワードを受信したとき、当該ワンタイムパスワードを前記第２の通信端末に対して送信する手段、
前記第１の通信端末のアプリケーション認証情報を削除する手段、
を有し、
前記第２の通信端末の制御部は、
前記通信端末を前記第１の通信端末から前記第２の通信端末に変更する場合、
前記第１の通信端末からデータ引継ぎ要求を受けてデータ引継ぎ可能な状態にあるとき、前記第１の通信端末に対してデータ引継ぎを承認する承認応答を行う手段、
前記第１の通信端末からワンタイムパスワードを受信する手段、
前記ワンタイムパスワードに対応するアプリケーション情報を前記サーバに対して要求する手段、
前記アプリケーション情報要求に対して前記サーバから前記ワンタイムパスワードに紐付くアプリケーション情報を受信する手段、
前記受信したアプリケーション情報を元に前記第２の通信端末のアプリケーション状態を復元する手段、
を有することを特徴とする通信端末間におけるアプリケーション情報の継承システム。
【請求項３】
ワンタイムパスワード、アプリケーション情報を管理するサーバと、前記アプリケーション情報を利用するデータ引継元通信端末と、前記引継元通信端末のアプリケーション情報を引き継ぐ１つ以上のデータ引継先通信端末と、を有し、
前記データ引継元通信端末のアプリケーション情報を、前記サーバを介して前記データ引継先通信端末に引き継ぐ通信端末アプリケーション引継システムであって、
利用する通信端末を前記データ引継元通信端末から前記データ引継先通信端末に変更するとき、
前記データ引継元通信端末は、
データ引継要求を前記データ引継先通信端末に対して送信する手段、
前記データ引継先通信端末から前記引継要求に対するデータ引継ぎの「承認」応答があったとき、アプリケーション情報を前記サーバに送信する手段、
前記サーバから前記アプリケーション情報に関連付けされたワンタイムパスワードを受信したとき、
当該ワンタイムパスワードを前記データ引継先通信端末に送信し、また当該データ引継元通信端末に保存している前記アプリケーション情報を削除する手段、
を有し、
前記データ引継先通信端末は、
前記データ引継元通信端末から前記データ引継要求を受けたとき、データ引継ぎ可能な状態にある場合、当該データ引継先通信端末に対して「承認」応答する手段、
前記データ引継元通信端末から前記ワンタイムパスワードを受信したとき、前記サーバに対して当該ワンタイムパスワードを送信し、また当該ワンタイムパスワードに関連付けされているアプリケーション情報の送信を要求する手段、
前記サーバに前記ワンタイムパスワードに関連付けされたアプリケーション情報が存在するとき、当該サーバから送信される当該アプリケーション情報を受信する手段、
当該アプリケーション情報のアプリケーション識別情報を元に該当するアプリケーションを起動し、当該アプリケーション情報を復元し、かつ当該アプリケーション情報の引継ぎを設定する手段、
を有し、
前記サーバは、
前記データ引継元通信端末から前記アプリケーション情報を受信したとき、前記ワンタイムパスワードを生成し、当該ワンタイムパスワードに関連付けて前記アプリケーション情報を保存する手段、
前記データ引継通信端末から前記アプリケーション情報の要求、及び前記ワンタイムパスワードを受信したとき、当該ワンタイムパスワードに関連付けされたアプリケーション情報が存在する場合、当該データ引継先通信端末に当該アプリケーション情報を送信する手段、
前記サーバに保存されたワンタイムパスワード及び当該パスワードに関連するアプリケーション情報を削除する手段、
を有し、
前記アプリケーション情報の復元により、前記データ引継元通信端末のアプリケーション情報の前記データ引継先通信端末への引き継ぎを可能とする
ことを特徴とする通信端末間におけるアプリケーション情報の継承システム。
【請求項４】
ワンタイムパスワード及び当該ワンタイムパスワードに対応し、アプリケーション識別情報、アプリケーション認証情報、アプリケーションデータを含む、アプリケーション情報を管理するサーバにネットワークを介して接続される通信端末において、
前記通信端末は、データ引継元となる第１の通信端末と、データ引継先となる第２の通信端末、を有し、
前記第１、第２の通信端末は、
前記ネットワークを介して前記サーバと通信する通信部、
前記第１、第２の通信端末同士で近距離無線通信するインタフェース、
前記アプリケーション情報を格納する記録部、
前記第１、第２の通信端末間の通信及び前記第１、第２の通信端末と前記サーバとの間の通信を制御する制御部、
を有し、
前記第１の通信端末の制御部は、
前記通信端末を前記第１の通信端末から前記第２の通信端末に変更する場合、
前記第２の通信端末に対して引継ぎ要求を送信する手段、
前記第２の通信端末からのデータ引継ぎ「承認」応答を受けたとき、
前記サーバに対して前記第１の通信端末のアプリケーション情報を送信する手段、
前記サーバからワンタイムパスワードを受信したとき、当該ワンタイムパスワードを前記第２の通信端末に対して送信する手段、
前記第１の通信端末のアプリケーション情報を削除する手段、
を有することを特徴とする通信端末。
【請求項５】
ワンタイムパスワード及び当該ワンタイムパスワードに対応し、アプリケーション識別情報、アプリケーション認証情報、アプリケーションデータを含む、アプリケーション情報を管理するサーバにネットワークを介して接続される通信端末において、
利用する通信端末をデータ引継元通信端末からデータ引継先通信端末に変更するとき、
前記データ引継元通信端末は、
データ引継ぎ要求をデータ引継先通信端末に対して送信する手段、
前記データ引継先通信端末から前記引継ぎ要求に対するデータ引継ぎ「承認」応答を受けたとき、アプリケーション情報を管理するサーバに送信する手段、
前記サーバから前記アプリケーション情報に関連付けされたワンタイムパスワードを受信したとき、当該ワンタイムパスワードを前記データ引継先通信端末に送信し、またデータ引継元通信端末に保存した前記アプリケーション情報を削除する手段、
を有し、
前記データ引継元通信端末Ａにおけるアプリケーション情報の、前記データ引継先通信端末への引き継ぎを可能とする
ことを特徴とする通信端末。
【請求項６】
請求項５において、さらに、
前記第２の通信端末からのデータ引継ぎ「承認」応答を受けたとき、
前記第１の通信端末の表示部にデータ引継ぎ確認画面を表示する手段、を有し、
前記データ引継ぎ確認画面を元に当該第１の通信端末のユーザによりデータ引継ぎの承認が「許可」されたとき、前記サーバに対して前記第１の通信端末のアプリケーション情報を送信する手段、
を有することを特徴とする通信端末。
【請求項７】
ワンタイムパスワード及び当該ワンタイムパスワードに対応し、アプリケーション識別情報、アプリケーション認証情報、アプリケーションデータを含む、アプリケーション情報を有するサーバに対してネットワークを介して接続される通信端末において、
前記通信端末は、
データ引継元となる第１の通信端末と、データ引継先となる第２の通信端末、を有し、
前記第１、第２の通信端末は、
前記ネットワークを介して前記サーバと通信する通信部、
前記第１、第２の通信端末同士で近距離無線通信するインタフェース、
前記アプリケーション情報を格納する記録部、
前記第１、第２の通信端末間の通信及び前記第１、第２の通信端末と前記サーバとの間の通信を制御する制御部、
を有し、
前記第２の通信端末の制御部は、
前記通信端末を前記第１の通信端末から前記第２の通信端末に変更する場合、
前記第１の通信端末からデータ引継ぎ要求を受けてデータ引継ぎ可能な状態にあるとき、前記第１の通信端末に対してデータ引継ぎを承認する「承認」応答を行う手段、
前記第１の通信端末からワンタイムパスワードを受信する手段、
前記ワンタイムパスワードに対応するアプリケーション情報を前記サーバに対して要求する手段、
前記アプリケーション情報要求に対して前記サーバから前記ワンタイムパスワードに関連付くアプリケーション情報を受信する手段、
前記受信したアプリケーション情報を元に前記第２の通信端末のアプリケーション情報を復元する手段、
を有することを特徴とする通信端末。
【請求項８】
ワンタイムパスワード及び当該ワンタイムパスワードに対応し、アプリケーション識別情報、アプリケーション認証情報、アプリケーションデータを含む、アプリケーション情報を有するサーバに対してネットワークを介して接続される通信端末において、
利用する通信端末をデータ引継元通信端末からデータ引継先通信先末に変更するとき、前記データ引継先通信端末は、
前記データ引継元通信端末からデータ引継要求を受けたとき、データ引継ぎ可能な状態にあるとき、当該データ引継先通信端末に対して「承認」応答する手段、
前記データ引継元通信端末Aからワンタイムパスワードを受信したとき、当該ワンタイムパスワード及びアプリケーション情報をサーバに要求する手段、
前記サーバに前記ワンタイムパスワードに関連付けされたアプリケーション情報が存在するとき、当該サーバから送信される当該アプリケーション情報を受信する手段、
当該アプリケーション情報を元に該当するアプリケーションを起動し、当該アプリケーション情報を復元する手段、
前記アプリケーション情報の復元により、前記データ引継元通信端末Ａにおけるアプリケーション情報を前記データ引継先通信端末Ｂにおいて引き継ぐことを可能とする
ことを特徴とすることを通信端末。
【請求項９】
ワンタイムパスワードとアプリケーション情報を関連付けて管理する制御装置を有するサーバであって、
前記アプリケーション情報は、アプリケーション識別情報、アプリケーション認証情報、アプリケーションデータを含み、
前記制御装置は、
データ引継元通信端末から前記アプリケーション情報のデータ引継ぎ要求を受けてデータ引継ぎ要求を「承認」したとき、
前記データ引継元通信端末からアプリケーション情報を受信してワンタイムパスワードを生成し、当該ワンタイムパスワードに関連付けて前記アプリケーション情報を保存する手段、
データ引継先通信端末からアプリケーション情報の要求とワンタイムパスワードを受けたとき、
当該ワンタイムパスワードに関連付くアプリケーション情報が存在するか否かを判定する手段
前記判定する手段により、前記ワンタイムパスワードに関連付くアプリケーション情報が存在するとき、
前記データ引継ぎ通信端末に当該アプリケーション情報を送信する手段、
前記サーバに保存されたワンタイムパスワード及び当該パスワードに関連付けするアプリケーション情報を削除する手段、
を有することを特徴とするサーバ。
【請求項１０】
サーバと通信端末とからなり、当該通信端末を第１の通信端末から第２の通信端末に変更するとき、当該第１の通信端末のアプリケーション情報を第２の通信端末に継承する通信端末間におけるアプリケーション情報の継承方法において、
前記サーバは、
ワンタイムパスワードに関連付けてアプリケーション情報を管理する手段、当該アプリケーション情報は、アプリケーションを識別するアプリケーション識別情報、当該アプリケーションの利用に必要なアプリケーション認証情報、を含み、
前記通信端末のデータ引継元の端末からアプリケーション情報を受信したとき、前記ワンタイムパスワードを生成するステップ、
前記ワンタイムパスワードに関連付けて前記アプリケーション情報を保存するステップ、
前記通信端末のデータ引継先の端末からアプリケーション情報の要求とワンタイムパスワードを受信したとき、当該通信端末のデータ引継先の通信端末に対してアプリケーション情報を送信するステップ、
前記サーバに保存されたワンタイムパスワード及び当該ワンタイムパスワードに関連するアプリケーション情報を削除するステップ、
を有し、
前記通信端末は、データ引継元となる第１の通信端末と、少なくともデータ引継先となる第２の通信端末、を有し、
前記第１、第２の通信端末は、
ネットワークを介して前記サーバと通信する通信部、
前記第１、第２の通信端末同士で近距離無線通信するインタフェース、
前記アプリケーション情報を格納する記録部、
前記第１、第２の通信端末間の通信及び前記第１、第２の通信端末と前記サーバとの間の通信を制御する制御部、
を有し、
前記第１の通信端末の制御部は、
前記通信端末を前記第１の通信端末から前記第２の通信端末に変更する場合、
前記第２の通信端末に対して引継ぎ要求を送信するステップ、
前記第２の通信端末からのデータ引継ぎ「承認」応答を受けたとき、前記第１の通信端末の表示部にデータ引継ぎ確認画面を表示するステップ、
前記データ引継ぎ確認画面を元に当該第１の通信端末のユーザによりデータ引継ぎが「許可」されたとき、前記サーバに対して前記第１の通信端末のアプリケーション情報を送信するステップ、
前記サーバからワンタイムパスワードを受信したとき、当該ワンタイムパスワードを前記第２の通信端末に対して送信するステップ、
前記第１の通信端末のアプリケーション情報を削除するステップ、
を有し、
前記第２の通信端末の制御部は、
前記通信端末を前記第１の通信端末から前記第２の通信端末に変更する場合、
前記第１の通信端末からデータ引継ぎ要求を受けてデータ引継ぎ可能な状態にあるとき、前記第１の通信端末に対してデータ引継ぎを承認する「承認」応答を行うステップ、
前記第１の通信端末からワンタイムパスワードを受信するステップ、
前記ワンタイムパスワードに対応するアプリケーション情報を前記サーバに対して要求するステップ、
前記アプリケーション情報要求に対して前記サーバから前記ワンタイムパスワードに関連付くアプリケーション情報を受信するステップ、
前記受信したアプリケーション情報を元に前記第２の通信端末のアプリケーション情報として復元するステップ、
を有することを特徴とする通信端末間におけるアプリケーション情報の継承方法。
【請求項１１】
ワンタイムパスワード、アプリケーション情報を管理するサーバと、前記アプリケーション情報を利用するデータ引継元通信端末と、前記引継元通信端末のアプリケーション情報を引き継ぐ１つ以上のデータ引継先通信端末と、を有し、
前記データ引継元通信端末のアプリケーション情報を、前記サーバを介して前記データ引継先通信端末に引き継ぎ継承する通信端末間におけるアプリケーション情報の継承方法であって、
利用する通信端末を前記データ引継元通信端末から前記データ引継先通信端末に変更するとき、
前記データ引継元通信端末は、
データ引継要求を前記データ引継先通信端末に対して送信する手段、
前記データ引継先通信端末から前記引継要求に対するデータ引継ぎの承認応答があったとき、アプリケーション情報を前記サーバに送信する手段、
前記サーバから前記アプリケーション情報に関連付けされたワンタイムパスワードを受信したとき、
当該ワンタイムパスワードを前記データ引継先通信端末に送信し、また当該データ引継元通信端末に保存している前記アプリケーション情報を削除する手段、
を有し、
前記データ引継先通信端末は、
前記データ引継元通信端末から前記データ引継要求を受けたとき、データ引継ぎ可能な状態にある場合、当該データ引継先通信端末に対して「承認」応答するステップ、
前記データ引継元通信端末から前記ワンタイムパスワードを受信したとき、前記サーバに対して当該ワンタイムパスワードを送信し、また当該ワンタイムパスワードに関連付けされているアプリケーション情報の送信を要求するステップ、
前記サーバに前記ワンタイムパスワードに関連付けされたアプリケーション情報が存在するとき、当該サーバから送信される当該アプリケーション情報を受信するステップ、
当該アプリケーション情報のアプリケーション識別情報を元に該当するアプリケーションを起動し、当該アプリケーション情報を復元するステップ、
を有し、
前記サーバは、
前記データ引継元通信端末から前記アプリケーション情報を受信したとき、前記ワンタイムパスワードを生成し、当該ワンタイムパスワードに関連付けて前記アプリケーション情報を保存する手段、
前記データ引継通信端末から前記アプリケーション情報の要求、及び前記ワンタイムパスワードを受信したとき、当該ワンタイムパスワードに関連付くアプリケーション情報が存在する場合、当該データ引継先通信端末Ｂに当該アプリケーション情報を送信するステップ、
前記サーバに保存されたワンタイムパスワード及び当該パスワードに関連するアプリケーション情報を削除するステップ、
を有し、
前記アプリケーション情報の復元により、前記データ引継元通信端末のアプリケーション情報を前記データ引継先通信端末のアプリケーション情報として引き継ぐことを特徴とする通信端末間におけるアプリケーション情報の継承方法。
【発明の詳細な説明】
【技術分野】
【０００１】
本発明は、通信端末間におけるアプリケーション情報の継承システム、方法、サーバ、並びに通信端末に関する。
【０００２】
例えば、ユーザが通信端末Ａから他の通信端末Ｂに利用端末を変更する場合において、新しい通信端末Ｂ（データ引継先通信端末）に認証情報、例えばユーザＩＤやパスワードを入力することなく、通信端末同士を近づけて通信するだけで通信端末Ａ（データ引継元通信端末）のアプリケーションの認証情報（ＩＤ、パスワード）や、アプリケーションの状態（アプリケーション識別情報、アプリケーション認証情報、アプリケーションデータの状態など）を通信端末Ｂに引き継ぐことの、承認（継承）を可能とする通信端末間における認証及びアプリケーション情報の継承システム、方法、通信端末、並びにサーバに関する。
継承とは、例えば、通信端末Ａのアプリケーション情報を他の通信端末Ｂにより引き継ぐことを意味する。
【背景技術】
【０００３】
近年、既存の携帯電話やＰＤＡよりも優れた操作性を持つことや、アプリケーションの利用が容易な点から業務効率化を目的として様々な業種でスマートデバイス（情報機器）の導入が広がっている。しかし、スマートデバイスは高価であるため、企業内ではひとつの端末をひとりのユーザで占有せずに、複数のユーザで端末を共有する使い方が検討されている。多くの場合、この端末やアプリケーションでは利便性向上やセキュリティ確保のためのユーザ識別・認可を目的として、端末やアプリケーションの利用前にユーザに認証情報、例えばユーザＩＤとパスワードを要求する。ここでユーザが入力した認証情報は、その端末内に一時的にしか保持されない。このため、ユーザが用途に合わせて端末を変更する場合、例えばスマートフォンを使っているユーザが帳票確認作業のためにタブレットに切り替える場合、やバッテリー切れによる端末交換の際には、新しい端末にて再び認証情報を入力する必要がある。また、変更前の端末にて何らかの作業を行っていた場合、新しい端末では作業状態が引き継がれない。このため、始めから作業手順をやり直さなければならない。
【０００４】
この手間を減らす本技術分野の背景技術として、特開２００９−２００８６５号公報（特許文献１）がある。この公報には、「ネットワーク３０に接続可能な通信端末Ａ、Ｂを含み、ユーザに割り当てられた識別情報が格納された非接触ＩＣチップ２０Ａと、ネットワーク３０に接続されユーザごとに情報を格納するサーバ装置４０と、を有する。通信端末Ａ、Ｂは、ネットワーク３０との間で情報の送受信を行う通信手段１０と、認証情報が格納された格納手段１２と、非接触ＩＣチップ２０Ａから識別情報を受信するための非接触インタフェース手段１３と、非接触インタフェース手段１３により受信した識別情報と認証情報とが一致するか否かを判定する判定手段１１と、識別情報と認証情報とが一致した時に通信手段１０の使用を許可しサーバ装置４０からの所望の情報提供を可能にする制御手段１４と、を有する通信システム」をもって、「通信端末を使用するユーザの個人情報に対する安全性を向上させると共に通信端末の代替が容易となる通信システムを提供する。」と記載されている（要約書参照）。
【先行技術文献】
【特許文献】
【０００５】
【特許文献１】特開２００９−２００８６５号公報
【発明の概要】
【発明が解決しようとする課題】
【０００６】
前記特許文献１には、通信端末の代替えの仕組みが記載されている。しかし、特許文献１に記載された通信システム、通信端末、その通信制御方法は、アプリケーションデータをサーバ側に保存する。そのため、当該通信端末と当該サーバとの間で非接触ＩＣチップを使ったユーザ認証を行うことでスムーズな端末切り替えを実現している。
【０００７】
したがって、ユーザが利用端末を変更し、変更先の新しい端末にて変更元の通信端末のアプリケーション情報を引き継ぐ場合、当該アプリケーション情報を利用するためにユーザ自身が認証情報を入力する操作が必要であった。あるいは、認証用の非接触ＩＣチップなどの物理デバイスを常に携帯して、適宜に用いる必要があった。また、アプリケーション情報のアプリケーションデータをサーバ側に保持する構成であるために常に通信端末とサーバとの間において、通信が発生する。このため、バッテリーで駆動することの多い通信端末への適用には不向きである。
【０００８】
そこで、本発明は、ユーザが利用する端末を、例えば、端末Ａから端末Ｂに変更する場合において、端末Ａと端末末Ｂとの間の通信をもって、端末Ａで使用していたアプリケーション情報を端末Ｂに自動的に引継ぐことができる通信端末間におけるアプリケーション情報の継承システム、方法、サーバ、並びに通信端末を提供する。
【課題を解決するための手段】
【０００９】
上記課題を解決するために、本発明は、ネットワークに接続可能な通信端末と、アプリケーションデータを含むアプリケーション情報を保持、管理、制御するサーバとを有するシステムにおいて、ワンタイムパスワードを用いたアプリケーション情報の引継ぎを承認する手段を設けた。
例えば、本発明は、以下のとおりである。
【００１０】
本発明の通信端末間における認証及びアプリケーション情報の継承システムは、
アプリケーション情報の送受信を行う複数の通信端末と、ワンタイムパスワードとアプリケーション情報を関連付けて管理するサーバを有し、
前記通信端末は、
ネットワークとの間において、ワンタイムパスワード、及びアプリケーション情報の送受信を行う通信手段と、
自身以外の通信端末との間において、ワンタイムパスワード、及びアプリケーション情報の送受信を行う近距離無線通信インタフェースと、
前記ワンタイムパスワード、前記アプリケーション情報を関連付けて記録、管理する手段と、
前記通信手段、前記インタフェース、前記アプリケーション情報を記録、管理する手段を制御する手段と、を有し、
前記サーバは、
前記通信端末の変更を行うとき、データ引継元となる通信端末から送信されるアプリケーション情報に対応するワンタイムパスワードを生成する手段と、
当該ワンタイムパスワードと当該アプリケーション情報とを関連付けて保存する手段と、
当該ワンタイムパスワードを前記データ引継元となる通信端末を介してデータ引継先となる通信端末に送信する手段と、
当該データ引継先となる通信端末からのアプリケーション情報の要求に応じて前記ワンタイムパスワードに関連付けされたアプリケーション情報を当該データ引継先となる通信端末に送信する手段と、
を有することを特徴とする。
【００１１】
本発明の通信端末間におけるアプリケーション情報の継承システムは、
サーバと通信端末とからなり、当該通信端末を第１の通信端末から第２の通信端末に変更するとき、当該第１の通信端末のアプリケーション情報を第２の通信端末に継承する通信端末間におけるアプリケーション情報の継承システムにおいて、
前記サーバは、
ワンタイムパスワードに関連付けてアプリケーション情報を管理する手段、当該アプリケーション情報は、アプリケーションを識別するアプリケーション識別情報、当該アプリケーションの利用に必要なアプリケーション認証情報、を含み、
前記通信端末のデータ引継元の端末からアプリケーション情報を受信したとき、前記ワンタイムパスワードを生成する手段、
前記ワンタイムパスワードに関連付けて前記アプリケーション情報を保存する手段、
前記通信端末のデータ引継先の端末からアプリケーション情報の要求とワンタイムパスワードを受信したとき、当該通信端末のデータ引継先の端末に対してアプリケーション情報を送信する手段、
前記サーバに保存されたワンタイムパスワード及び当該ワンタイムパスワードに関連するアプリケーション情報を削除する手段、
を有し、
前記通信端末は、データ引継元となる第１の通信端末と、少なくともデータ引継先となる第２の通信端末、を有し、
前記第１、第２の通信端末は、
ネットワークを介して前記サーバと通信する通信部、
前記第１、第２の通信端末同士で近距離無線通信するインタフェース、
前記アプリケーション情報を格納する記録部、
前記第１、第２の通信端末間の通信及び前記第１、第２の通信端末と前記サーバとの間の通信を制御する制御部、
を有し、
前記第１の通信端末の制御部は、
前記通信端末を前記第１の通信端末から前記第２の通信端末に変更する場合、
前記第２の通信端末に対して引継ぎ要求を送信する手段、
前記第２の通信端末からのデータ引継ぎ承認応答を受けたとき、前記第１の通信端末の表示部にデータ引継ぎ確認画面を表示する手段、
前記データ引継ぎ確認画面を元に当該第１の通信端末のユーザによりデータ引継ぎが許可されたとき、前記サーバに対して前記第１の通信端末のアプリケーション情報を送信する手段、
前記サーバからワンタイムパスワードを受信したとき、当該ワンタイムパスワードを前記第２の通信端末に対して送信する手段、
前記第１の通信端末のアプリケーション認証情報を削除する手段、
を有し、
前記第２の通信端末の制御部は、
前記通信端末を前記第１の通信端末から前記第２の通信端末に変更する場合、
前記第１の通信端末からデータ引継ぎ要求を受けてデータ引継ぎ可能な状態にあるとき、前記第１の通信端末に対してデータ引継ぎを承認する承認応答を行う手段、
前記第１の通信端末からワンタイムパスワードを受信する手段、
前記ワンタイムパスワードに対応するアプリケーション情報を前記サーバに対して要求する手段、
前記アプリケーション情報要求に対して前記サーバから前記ワンタイムパスワードに紐付くアプリケーション情報を受信する手段、
前記受信したアプリケーション情報を元に前記第２の通信端末のアプリケーション状態を復元する手段、
を有することを特徴とする。
【００１２】
本発明の通信端末間におけるアプリケーション情報の継承システムは、
ワンタイムパスワード、アプリケーション情報を管理するサーバと、前記アプリケーション情報を利用するデータ引継元通信端末と、前記引継元通信端末のアプリケーション情報を引き継ぐ１つ以上のデータ引継先通信端末と、を有し、
前記データ引継元通信端末のアプリケーション情報を、前記サーバを介して前記データ引継先通信端末に引き継ぐ通信端末アプリケーション引継システムであって、
利用する通信端末を前記データ引継元通信端末から前記データ引継先通信端末に変更するとき、
前記データ引継元通信端末は、
データ引継要求を前記データ引継先通信端末に対して送信する手段、
前記データ引継先通信端末から前記引継要求に対するデータ引継ぎの「承認」応答があったとき、アプリケーション情報を前記サーバに送信する手段、
前記サーバから前記アプリケーション情報に関連付けされたワンタイムパスワードを受信したとき、
当該ワンタイムパスワードを前記データ引継先通信端末に送信し、また当該データ引継元通信端末に保存している前記アプリケーション情報を削除する手段、
を有し、
前記データ引継先通信端末は、
前記データ引継元通信端末から前記データ引継要求を受けたとき、データ引継ぎ可能な状態にある場合、当該データ引継先通信端末に対して「承認」応答する手段、
前記データ引継元通信端末から前記ワンタイムパスワードを受信したとき、前記サーバに対して当該ワンタイムパスワードを送信し、また当該ワンタイムパスワードに関連付けされているアプリケーション情報の送信を要求する手段、
前記サーバに前記ワンタイムパスワードに関連付けされたアプリケーション情報が存在するとき、当該サーバから送信される当該アプリケーション情報を受信する手段、
当該アプリケーション情報のアプリケーション識別情報を元に該当するアプリケーションを起動し、当該アプリケーション情報を復元し、かつ当該アプリケーション情報の引継ぎを設定する手段、
を有し、
前記サーバは、
前記データ引継元通信端末から前記アプリケーション情報を受信したとき、前記ワンタイムパスワードを生成し、当該ワンタイムパスワードに関連付けて前記アプリケーション情報を保存する手段、
前記データ引継通信端末から前記アプリケーション情報の要求、及び前記ワンタイムパスワードを受信したとき、当該ワンタイムパスワードに関連付けされたアプリケーション情報が存在する場合、当該データ引継先通信端末に当該アプリケーション情報を送信する手段、
前記サーバに保存されたワンタイムパスワード及び当該パスワードに関連するアプリケーション情報を削除する手段、
を有し、
前記アプリケーション情報の復元により、前記データ引継元通信端末のアプリケーション情報の前記データ引継先通信端末への引き継ぎを可能とする
ことを特徴とする。
【００１３】
本発明の通信端末は、
ワンタイムパスワード及び当該ワンタイムパスワードに対応し、アプリケーション識別情報、アプリケーション認証情報、アプリケーションデータを含む、アプリケーション情報を管理するサーバにネットワークを介して接続される通信端末において、
前記通信端末は、データ引継元となる第１の通信端末と、データ引継先となる第２の通信端末、を有し、
前記第１、第２の通信端末は、
前記ネットワークを介して前記サーバと通信する通信部、
前記第１、第２の通信端末同士で近距離無線通信するインタフェース、
前記アプリケーション情報を格納する記録部、
前記第１、第２の通信端末間の通信及び前記第１、第２の通信端末と前記サーバとの間の通信を制御する制御部、
を有し、
前記第１の通信端末の制御部は、
前記通信端末を前記第１の通信端末から前記第２の通信端末に変更する場合、
前記第２の通信端末に対して引継ぎ要求を送信する手段、
前記第２の通信端末からのデータ引継ぎ「承認」応答を受けたとき、
前記サーバに対して前記第１の通信端末のアプリケーション情報を送信する手段、
前記サーバからワンタイムパスワードを受信したとき、当該ワンタイムパスワードを前記第２の通信端末に対して送信する手段、
前記第１の通信端末のアプリケーション情報を削除する手段、
を有することを特徴とする。
【００１４】
本発明の通信端末は、
ワンタイムパスワード及び当該ワンタイムパスワードに対応し、アプリケーション識別情報、アプリケーション認証情報、アプリケーションデータを含む、アプリケーション情報を管理するサーバにネットワークを介して接続される通信端末において、
利用する通信端末をデータ引継元通信端末からデータ引継先通信端末に変更するとき、
前記データ引継元通信端末は、
データ引継ぎ要求をデータ引継先通信端末に対して送信する手段、
前記データ引継先通信端末Ｂから前記引継ぎ要求に対するデータ引継ぎ「承認」応答を受けたとき、アプリケーション情報を管理するサーバに送信する手段、
前記サーバから前記アプリケーション情報に関連付けされたワンタイムパスワードを受信したとき、当該ワンタイムパスワードを前記データ引継先通信端末に送信し、またデータ引継元通信端末に保存した前記アプリケーション情報を削除する手段、
を有し、
前記データ引継元通信端末Ａにおけるアプリケーション情報の、前記データ引継先通信端末への引き継ぎを可能とすることを特徴とする。
【００１５】
本発明の通信端末は、さらに、
前記第２の通信端末からのデータ引継ぎ「承認」応答を受けたとき、
前記第１の通信端末の表示部にデータ引継ぎ確認画面を表示する手段、を有し、
前記データ引継ぎ確認画面を元に当該第１の通信端末のユーザによりデータ引継ぎの承認が「許可」されたとき、前記サーバに対して前記第１の通信端末のアプリケーション情報を送信する手段、
を有することを特徴とする。
【００１６】
本発明の通信端末は、
ワンタイムパスワード及び当該ワンタイムパスワードに対応し、アプリケーション識別情報、アプリケーション認証情報、アプリケーションデータを含む、アプリケーション情報を有するサーバに対してネットワークを介して接続される通信端末において、
前記通信端末は、
データ引継元となる第１の通信端末と、データ引継先となる第２の通信端末、を有し、
前記第１、第２の通信端末は、
前記ネットワークを介して前記サーバと通信する通信部、
前記第１、第２の通信端末同士で近距離無線通信するインタフェース、
前記アプリケーション情報を格納する記録部、
前記第１、第２の通信端末間の通信及び前記第１、第２の通信端末と前記サーバとの間の通信を制御する制御部、
を有し、
前記第２の通信端末の制御部は、
前記通信端末を前記第１の通信端末から前記第２の通信端末に変更する場合、
前記第１の通信端末からデータ引継ぎ要求を受けてデータ引継ぎ可能な状態にあるとき、前記第１の通信端末に対してデータ引継ぎを承認する「承認」応答を行う手段、
前記第１の通信端末からワンタイムパスワードを受信する手段、
前記ワンタイムパスワードに対応するアプリケーション情報を前記サーバに対して要求する手段、
前記アプリケーション情報要求に対して前記サーバから前記ワンタイムパスワードに関連付くアプリケーション情報を受信する手段、
前記受信したアプリケーション情報を元に前記第２の通信端末のアプリケーション情報を復元する手段、
を有することを特徴とする。
【００１７】
本発明の通信端末は、
ワンタイムパスワード及び当該ワンタイムパスワードに対応し、アプリケーション識別情報、アプリケーション認証情報、アプリケーションデータを含む、アプリケーション情報を有するサーバに対してネットワークを介して接続される通信端末において、
利用する通信端末をデータ引継元通信端末からデータ引継先通信先末Ｂに変更するとき、前記データ引継先通信端末は、
前記データ引継元通信端末からデータ引継要求を受けたとき、データ引継ぎ可能な状態にあるとき、当該データ引継先通信端末Ａに対して「承認」応答する手段、
前記データ引継元通信端末Ａからワンタイムパスワードを受信したとき、当該ワンタイムパスワード及びアプリケーション情報をサーバに要求する手段、
前記サーバに前記ワンタイムパスワードに関連付けされたアプリケーション情報が存在するとき、当該サーバから送信される当該アプリケーション情報を受信する手段、
当該アプリケーション情報を元に該当するアプリケーションを起動し、当該アプリケーション情報を復元する手段、
前記アプリケーション情報の復元により、前記データ引継元通信端末Ａにおけるアプリケーション情報を前記データ引継先通信端末Ｂにおいて引き継ぐことを可能とすることを特徴とする。
【００１８】
本発明のサーバは、
ワンタイムパスワードとアプリケーション情報を関連付けて管理する制御装置を有するサーバであって、
前記アプリケーション情報は、アプリケーション識別情報、アプリケーション認証情報、アプリケーションデータを含み、
前記制御装置は、
データ引継元通信端末Ａから前記アプリケーション情報のデータ引継ぎ要求を受けてデータ引継ぎ要求を「承認」したとき、
前記データ引継元通信端末Ａからアプリケーション情報を受信してワンタイムパスワードを生成し、当該ワンタイムパスワードに関連付けて前記アプリケーション情報を保存する手段、
データ引継先通信端末Ｂからアプリケーション情報の要求とワンタイムパスワードを受けたとき、
当該ワンタイムパスワードに関連付くアプリケーション情報が存在するか否かを判定する手段
前記判定する手段により、前記ワンタイムパスワードに関連付くアプリケーション情報が存在するとき、
前記データ引継ぎ通信端末に当該アプリケーション情報を送信する手段、
前記サーバに保存されたワンタイムパスワード及び当該パスワードに関連付けするアプリケーション情報を削除する手段、
を有することを特徴とする。
【００１９】
本発明の通信端末間におけるアプリケーション情報の継承方法は、
サーバと通信端末とからなり、当該通信端末を第１の通信端末から第２の通信端末に変更するとき、当該第１の通信端末のアプリケーション情報を第２の通信端末に継承する通信端末間におけるアプリケーション情報の継承方法において、
前記サーバは、
ワンタイムパスワードに関連付けてアプリケーション情報を管理する手段、当該アプリケーション情報は、アプリケーションを識別するアプリケーション識別情報、当該アプリケーションの利用に必要なアプリケーション認証情報、を含み、
前記通信端末のデータ引継元の端末からアプリケーション情報を受信したとき、前記ワンタイムパスワードを生成するステップ、
前記ワンタイムパスワードに関連付けて前記アプリケーション情報を保存するステップ、
前記通信端末のデータ引継先の端末からアプリケーション情報の要求とワンタイムパスワードを受信したとき、当該通信端末のデータ引継先の通信端末に対してアプリケーション情報を送信するステップ、
前記サーバに保存されたワンタイムパスワード及び当該ワンタイムパスワードに関連するアプリケーション情報を削除するステップ、
を有し、
前記通信端末は、データ引継元となる第１の通信端末と、少なくともデータ引継先となる第２の通信端末、を有し、
前記第１、第２の通信端末は、
ネットワークを介して前記サーバと通信する通信部、
前記第１、第２の通信端末同士で近距離無線通信するインタフェース、
前記アプリケーション情報を格納する記録部、
前記第１、第２の通信端末間の通信及び前記第１、第２の通信端末と前記サーバとの間の通信を制御する制御部、
を有し、
前記第１の通信端末の制御部は、
前記通信端末を前記第１の通信端末から前記第２の通信端末に変更する場合、
前記第２の通信端末に対して引継ぎ要求を送信するステップ、
前記第２の通信端末からのデータ引継ぎ「承認」応答を受けたとき、前記第１の通信端末の表示部にデータ引継ぎ確認画面を表示するステップ、
前記データ引継ぎ確認画面を元に当該第１の通信端末のユーザによりデータ引継ぎが「許可」されたとき、前記サーバに対して前記第１の通信端末のアプリケーション情報を送信するステップ、
前記サーバからワンタイムパスワードを受信したとき、当該ワンタイムパスワードを前記第２の通信端末に対して送信するステップ、
前記第１の通信端末のアプリケーション情報を削除するステップ、
を有し、
前記第２の通信端末の制御部は、
前記通信端末を前記第１の通信端末から前記第２の通信端末に変更する場合、
前記第１の通信端末からデータ引継ぎ要求を受けてデータ引継ぎ可能な状態にあるとき、前記第１の通信端末に対してデータ引継ぎを承認する「承認」応答を行うステップ、
前記第１の通信端末からワンタイムパスワードを受信するステップ、
前記ワンタイムパスワードに対応するアプリケーション情報を前記サーバに対して要求するステップ、
前記アプリケーション情報要求に対して前記サーバから前記ワンタイムパスワードに関連付くアプリケーション情報を受信するステップ、
前記受信したアプリケーション情報を元に前記第２の通信端末のアプリケーション情報として復元するステップ、
を有することを特徴とする。
【００２０】
本発明の通信端末間におけるアプリケーション情報の継承方法は、
ワンタイムパスワード、アプリケーション情報を管理するサーバと、前記アプリケーション情報を利用するデータ引継元通信端末と、前記引継元通信端末のアプリケーション情報を引き継ぐ１つ以上のデータ引継先通信端末と、を有し、
前記データ引継元通信端末のアプリケーション情報を、前記サーバを介して前記データ引継先通信端末に引き継ぎ継承する通信端末間におけるアプリケーション情報の継承方法であって、
利用する通信端末を前記データ引継元通信端末から前記データ引継先通信端末に変更するとき、
前記データ引継元通信端末は、
データ引継要求を前記データ引継先通信端末に対して送信する手段、
前記データ引継先通信端末から前記引継要求に対するデータ引継ぎの承認応答があったとき、アプリケーション情報を前記サーバに送信する手段、
前記サーバから前記アプリケーション情報に紐付けされたワンタイムパスワードを受信したとき、
当該ワンタイムパスワードを前記データ引継先通信端末に送信し、また当該データ引継元通信端末に保存している前記アプリケーション情報を削除する手段、
を有し、
前記データ引継先通信端末は、
前記データ引継元通信端末から前記データ引継要求を受けたとき、データ引継ぎ可能な状態にある場合、当該データ引継先通信端末に対して「承認」応答するステップ、
前記データ引継元通信端末から前記ワンタイムパスワードを受信したとき、前記サーバに対して当該ワンタイムパスワードを送信し、また当該ワンタイムパスワードに関連付けされているアプリケーション情報の送信を要求するステップ、
前記サーバに前記ワンタイムパスワードに関連付けされたアプリケーション情報が存在するとき、当該サーバから送信される当該アプリケーション情報を受信するステップ、
当該アプリケーション情報のアプリケーション識別情報を元に該当するアプリケーションを起動し、当該アプリケーション情報を復元するステップ、
を有し、
前記サーバは、
前記データ引継元通信端末から前記アプリケーション情報を受信したとき、前記ワンタイムパスワードを生成し、当該ワンタイムパスワードに関連付けて前記アプリケーション情報を保存する手段、
前記データ引継通信端末から前記アプリケーション情報の要求、及び前記ワンタイムパスワードを受信したとき、当該ワンタイムパスワードに関連付くアプリケーション情報が存在する場合、当該データ引継先通信端末Ｂに当該アプリケーション情報を送信するステップ、
前記サーバに保存されたワンタイムパスワード及び当該パスワードに関連するアプリケーション情報を削除するステップ、
を有し、
前記アプリケーション情報の復元により、前記データ引継元通信端末のアプリケーション情報を前記データ引継先通信端末のアプリケーション情報として引き継ぐことを特徴とする。
【発明の効果】
【００２１】
本発明によれば、通信端末間のアプリケーション情報の引継ぎ（継承）を自動的に行うことができる。
【００２２】
例えば、従来の如く、非接触ＩＣチップなどの識別情報を携帯することなく、端末間のアプリケーション情報の引継ぎをスムーズに行うことができる。このように、非接触ＩＣチップを携帯することがないことから、当該非接触ＩＣチップを紛失するリスクの他、物品管理の煩雑を解消できる。
【００２３】
また、サーバ側との通信は、アプリケーション情報のアプリケーションデータを引き継ぎ時のみ行えばよいことから、両者間の通信回数を削減することができ、通信端末側のバッテリーの駆動時間を長くできる。
【図面の簡単な説明】
【００２４】
【図１】図１は、本発明の通信端末間におけるアプリケーション情報の継承システムの構成を示す図である。
【図２】図２は、通信端末Ａにおける制御部１１１の処理動作例を説明するフローチャートである。
【図３】図３は、通信端末Ｂ、または通信端末Ｃの制御部（通信端末Ａの制御部１１１と等価）の処理動作例を説明するフローチャートである。
【図４】図４は、図１のサーバ１００の制御部の処理動作を説明する図であって、データ引継元端末からのアプリケーション情報を受信したときの処理動作例を説明するフローチャートである。
【図５】図５は、図１におけるサーバ１００の制御部の処理動作を説明する図であって、データ引継先端末からのアプリケーション情報要求を受けたときの処理動作例を説明するフローチャートである。
【図６】図６は、図１におけるサーバ１００のアプリケーション情報テーブル６００に一構成例を説明する図である。
【図７】図７は、通信端末Ａ、通信端末Ｂ、間の処理シーケンス及び各端末の処理の内容を示す図である。
【発明を実施するための形態】
【００２５】
以下、本発明の実施例について図を用いて説明する。
【実施例】
【００２６】
図１は、通信端末Ａ（１１０）、Ｂ（１２０）、Ｃ（１３０）とサーバ１００を含む通信端末間におけるアプリケーション情報の継承システムの構成を示す図である。
【００２７】
同図において、例えば、通信端末Ａのデータ引継元通信端末１１０から通信端末Ｂのデータ引継先通信端末１２０へのアプリケーション情報の引継ぎを可能とする通信端末とサーバとの構成について説明する。
【００２８】
データ引継元通信端末１１０は、ネットワーク１４０と接続可能な無線通信部１１２、データ引継先通信端末１２０、１３０、との間でデータの送受信を行う通信インタフェース１１３、アプリケーション情報を格納する記億部（例えば、データベース）１１４、及び各部を制御する制御部１１１、を有する。
【００２９】
通信インタフェース１１３は、データ引継元通信端末１１０をデータ引継先通信端末１２０、又は１３０に近づけることにより、両端末間での近距離無線通信が可能な近距離無線通信インタフェースとする。この近距離無線通信より、データ引継通信端末の検索、選択、また、ワンタイムパスワード、アプリケーション情報の送受信が可能となる。
【００３０】
記億部１１４は、アプリケーション情報を記録するテーブル６００（後述する）を格納した、例えばデータベースからなる。
テーブル６００は、アプリケーション（アプリＡ、Ｂ、Ｃ、・・・）を識別するアプリケーション識別情報を記録する記録領域部１１４１、アプリケーションを利用するときに必要となるアプリケーション認証情報を記録する記録領域部１１４２、アプリケーションの状態を復元可能とするアプリケーションデータを一時記録する記録領域部１１４３、を含んでいる。アプリケーションデータは、一時的に記憶部１１４３に格納するので、場合によってはアプリケーション一時データともいう。
【００３１】
制御部１１１は、サーバ１００、データ引継先通信端末１２０との間でアプリケーション情報及びワンタイムパスワードなどのデータ送受信やこれらの記録、削除、などを制御する機能を有する。制御部１１１の機能についての詳細は、後述する。
【００３２】
データ引継先通信端末１２０、１３０は、それぞれ制御部１２１、１３１、有し、データ引継元通信端末１１０と同様に構成する。データ引継先通信端末１２０の制御部１２１については後述する。
【００３３】
データ引継先通信端末１２０とデータ引継先通信端末１３０と相違する点は、データ引継先通信端末１２０がサーバ１００との間の通信部がデータ引継元通信端末１１０と同じく無線通信部であるのに対してデータ引継先通信端末１３０が有線通信部である。
【００３４】
サーバ１００は、通信部１０２、ワンタイムパスワードとアプリケーション情報を記録する記録部（例えば、データベース）１０３、制御部１０１、を有する。
【００３５】
通信部１０２は、通信端末１１０、１２０、１３０、との間でデータ通信する。
【００３６】
制御部１０１は、ワンタイムアパスワードを生成する機能、当該ワンタイムパスワードをデータ引継元通信端末１１０に送信する機能、当該ワンタイムパスワードとアプリケーション情報とを関連付けする機能を有する。
【００３７】
記憶部１０３は、例えば、図６にて後述するがテーブル６００を有し、当該テーブルには、ワンタイムパスワード６２０、当該ワンタイムパスワードに関連付けされているアプリケーション情報（含アプリケーション識別情報６３０、アプリケーション認証情報６４０、アプリケーション一時データ６５０）、などの情報を有する。
制御部１０１の動作については図４、図５を参照して後述する。
【００３８】
図２は、データ引継元通信端末１１０の制御部１１１による処理動作例を説明するフローチャートである。
【００３９】
同図において、ユーザ利用する通信端末を、データ引継元通信端末１１０からデータ引継先通信端末１２０に変更すること前提とする。以下、データ引継元通信端末１１０の制御部１１１の処理動作について説明する。
【００４０】
まず、データ引継元通信端末１１０をデータ引継先通信端末１２０に近づける。そして、ステップＳ２１０にて、データ引継元通信端末１１０は、データ引継先通信端末１２０を常に検索して、当該通信端末を引継先通信端末として選択する。
【００４１】
ステップＳ２１０による検索結果、ステップＳ２２０にて、データ引継先通信端末１２０を検出できた場合（ＹＥＳ）には、次のステップＳ２３０に進み、データ引継元通信端末１１０を検出できなかった場合（ＮＯ）には、ステップＳ２１０を繰り返す。
【００４２】
次に、ステップＳ２３０では、近距離無線通信インタフェース１１４１を介してデータ引継先通信端末１２０に対してアプリケーション情報の引継ぎを要求（以下、データ引継要求）する。つまりデータ引継ぎを要求する信号を送信する。
【００４３】
次いで、ステップＳ２３１にて、データ引継ぎ要求に対する応答、つまりデータ引継先通信端末１２０から送信されるデータ引継「承認」応答、又は「否認」応答（応答信号）を受信する。
【００４４】
次に、ステップＳ２４０にて、データ引継先通信端末１２０からの応答が、「承認」、「否認」の判定を行う。
【００４５】
このステップＳ２４０による判定結果、「承認」応答の場合（ＹＥＳ）の場合には、次のステップＳ２４１に進み、「否認」応答の場合（ＮＯ）には、処理を終了する。
【００４６】
ステップＳ２４１では、データ引継元通信端末１１０の表示部（図示せず）にデータ引継ぎを確認するための画面を表示する。
これにより、ユーザ（通信端末１１０の利用者）に対して、引継ぎ「許可」、「不許可」の指示を可能とする。ユーザは、当該画面を表示する通信端末１１０を介してデータ引継ぎを「許可」するか否か指示する。
【００４７】
次に、ステップＳ２４２にて、ユーザ（通信端末１１０の利用者）からの指示が、データ引継ぎ「許可」、「不許可」を判定する。
【００４８】
この判定結果、「許可」（承認）された場合（ＹＥＳ）には、次のステップＳ２４３に進み、「不許可」（否認）された場合（ＮＯ）は、処理を終了する。
【００４９】
これらのステップＳ２４１、Ｓ２４２により、例えば、データ引継先通信端末１２０が意図せずに間違ってデータ引継元通信端末１１０の近くにあった場合、ユーザの意図に反して勝手にデータ引継ぎが行われることを未然に防止することができる。
【００５０】
続いて、ステップＳ２４３では、サーバ１００に対してアプリケーション情報（含むアプリＡ）を送信する。
【００５１】
次いで、ステップ２４４にて、データ引継通信端末１１０から送信されたアプリケーション情報（含むアプリＡ）に関連付けされたワンタイムパスワード（ＯＴＰ１）を受信する。ワンタイムパスワード（ＯＴＰ１）は、サーバ１００側にて生成されたものである。
【００５２】
次に、ステップＳ２４５にて、当該ワンタイムパスワード（ＯＴＰ１）をデータ引継先通信端末１２０に送信する。
【００５３】
そして、最後に、ステップＳ２４６にて、データ引継元通信端末１１０自身に保持されていて、データ引継ぎ完了後に利用されないアプリケーション情報（アプリＡ，アプリケーションデータに関連付けされた認証情報Ａ、データＡ）を削除し、処理を終了する。
【００５４】
図３は、データ引継元通信端末１２０の制御部１２１における処理動作例を説明するフローチャートである。
【００５５】
同図において、ステップＳ３１０にて、データ引継元通信端末１１０からのデータ引継ぎ要求を受信する。このデータ引継ぎ要求の受信を起点として、データ引継元通信端末１１０の制御部１２１は、以下の処理を実行する。
【００５６】
まず、ステップＳ３２０にて、データ引継先通信端末１２０自身がデータ引継ぎ可能な状態にあるか否かを判定する。この判定は、例えば、データ引継先通信端末１２０に対して、誰かがログインしている場合には、データ引継ぎ「不可」として判定し、それ以外はデータ引継ぎ「可」とする。
【００５７】
ここで、データ引継ぎ「可」と判定した場合（ＹＥＳ）には、ステップＳ３３０にて、データ引継元通信端末１１０に対して「承認」応答（応答信号）を送信する。
【００５８】
データ引継ぎ「不可」と判定した場合（ＮＯ）には、ステップＳ３４０にて、データ引継元通信端末１１０に対して「否認」応答を送信し、処理を終了する。
【００５９】
ステップＳ３３０にて、「承認」応答を送信したあと、ステップＳ３３１にて、データ引継元通信端末１１０がサーバ１００から取得してデータ引継先通信端末１２０に対して送信されたワンタイムパスワード（ＯＴＰ１）を受信する。
【００６０】
次に、ステップＳ３３２にて、受信した当該ワンタイムパスワード（ＯＴＰ１）及び当該ワンタイムパスワードに関連付けされたアプリケーション情報（アプリＡ、認証情報Ａ、データＡ）の送信を要求するアプリケーション情報要求（要求信号）をサーバ１００に送信する。
【００６１】
ステップＳ３３３にて、サーバ１００側にワンタイムパスワード（ＯＴＰ１）に関連付けされたアプリケーション情報（アプリＡ，認証情報Ａ、データＡ）が存在する場合（ＹＥＳ）には、ステップＳ３３４にて、前記アプリケーション情報要求に対応するアプリケーション情報（アプリＡ、認証情報Ａ、データＡ）を受信する。
【００６２】
最後に、ステップＳ３３５にて、当該受信したアプリケーション情報（データ引継元通信端末１１０側のアプリＡ、認証情報Ａ、データＡ）を元にデータ引継先通信端末１２０のアプリケーション情報を復元する。つまり、データ引継元通信端末１１０のアプリケーション情報（アプリＡ、認証情報Ａ、データＡの状態）をデータ引継先通信端末１２０側にて引き継ぎ、復元して再現する。
係る処理をもって、データ引継ぎ処理を完了する。
【００６３】
図４、図５は、サーバ１００における制御部１０１の処理動作例を説明するフローチャートである。
【００６４】
図４において、サーバ１００は、まず、データ引継元通信端末１１０からデータ引継ぎ対象となるアプリケーション情報（含アプリＡ）を受信する。
【００６５】
すると、ステップＳ４１１にて、ワンタイムパスワード（ＯＴＰ１）を生成し、ステップＳ４１２にて当該ワンタイムパスワードに関連付けてデータ引継元通信端末１１０から送信されたアプリケーション情報（アプリＡ、認証情報Ａ、データＡ）に関連付けて記憶部１０３に保存する。また、当該ワンタイムパスワード（ＯＴＰ１）をデータ引継元通信端末１１０に送信する。
【００６６】
図５において、ステップＳ５００にて、データ引継先通信端末１２０からアプリケーション情報（アプリＡ、認証情報Ａ、データＡ）の要求（要求信号）とワンタイムパスワード（ＯＴＰ１）を受信すると、ステップＳ５１０にて、ワンタイムパスワード（ＯＴＰ１）に関連付けされたアプリケーションデータ（データＡ）が存在するか否か判定する。
【００６７】
ステップＳ５１０による判定結果、存在する場合（ＹＥＳ）には、次のステップＳ５２０に進み、存在しない場合（ＮＯ）には、処理を終了する。
【００６８】
ステップＳ５１０にて、ワンタイムパスワード（ＯＴＰ１）に関連付くアプリケーション情報（含データＡ）が存在する場合（ＹＥＳ）には、ステップＳ５２０にて、前記アプリケーション情報の要求元のデータ引継先通信端末１２０に対してアプリケーション情報（含データ）を送信する。
【００６９】
次いで、ステップＳ５３０にて、記憶部１００１のテーブルからワンタイムパスワード（ＯＴＰ１）及び当該ワードに関連するアプリケーション情報（アプリＡ、認証情報Ａ、データＡ）を削除する。
【００７０】
図６は、サーバ１００の記録部１０３に格納されるアプリケーション情報テーブル６００の構成例、つまり項目とデータの一例を示す図である。
【００７１】
同図において、テーブル６００は、項目名としてワンタイムパスワード、ユーザＩＤ、パスワード、アプリケーションデータ、を有する。
【００７２】
ワンタイムパスワードは、一度限り有効なパスワードである。ユーザＩＤは、通信端末のユーザを識別する情報である。パスワードは、アプリケーションを認証するための認証である。アプリケーションデータは、アプリケーションの状態を表すアプリケーション固有のデータである。データは、属性識別（１、２、３、４、５，６、・・・）、ワンタイムパスワード６２０（ＯＴＰ１、ＯＴＰ２、ＯＴＰ３、ＯＴＰ４、ＯＴＰ５、・・・）、アプリケーション認証情報（認証情報Ａ、認証情報Ｂ、認証情報Ｃ、認証情報Ｄ、認証情報Ｅ、認証情報Ｆ、・・・）、アプリケーション一時データ（データＡ、データＢ、データＣ、データＤ、データＥ、データＦ、・・・）を含む。
【００７３】
図７は、データ引継元通信端末１１０、通信データ引継先通信端末１２０、サーバ１００、間のシーケンスと上述した処理を整理した図である。
【００７４】
同図において、上述した図２〜図５と同一部分には、同一符号を付して説明は省略する。
【００７５】
以上述べた実施例によれば、従来の如く、変更先の端末Ｂによりアプリケーション情報を利用するための認証情報を入力する必要がない。また、端末以外の物理デバイスを携帯することもない。
以上、本発明の一実施形態を説明したが、これは本発明の説明のための例示であって、本発明の範囲をこの実施形態にのみ限定する趣旨ではない。本発明は、他の種々の形態でも実施することが可能である。
【符号の説明】
【００７６】
１００  ワンタイムパスワード、及びアプリケーション情報を保持するテーブルを持つサーバ
１１０  通信端末Ａ
１１１  １０１  １２１  １３１  アプリケーション情報の制御部
１１２  無線通信部
１１３  近距離無線通信インタフェース
１１４  記憶部
１１４１  アプリケーション識別情報記録領域部
１１４２  アプリケーション認証情報記録領域部
１１４３  アプリケーション一時データ記録領域部
１２０  通信端末Ｂ
１３０  通信端末Ｃ
１４０  サーバ、通信端末Ａ、通信端末Ｂ、通信端末Ｃが接続可能なネットワーク
【図１】
2015210771.tif 000003
【図２】
2015210771.tif 000004
【図３】
2015210771.tif 000005
【図４】
2015210771.tif 000006
【図５】
2015210771.tif 000007
【図６】
2015210771.tif 000008
【図７】
2015210771.tif 000009